(57)【要約】【課題】簡単な構成で、確実に電源コードを取付ける事ができるアイロンを提供する。【解決手段】把手１３と、電源コード１１と、前記電源コード１１の所定の位置を挟圧保持する電源コード保持部材１５とを備え、前記電源コード１１を前記電源コード保持部材１５で挟圧保持した状態で前記把手１３の一部に固定するようにしたもので、簡単な構造で確実に電源コード１１が把手１３に固定され、電源コード１１が引っ張られても、電源コード保持部材１５よりも内部にその張力が伝わることがなく、また、組み立ても容易である。【選択図】図３
2006043186.tif 000002
【特許請求の範囲】
【請求項１】
把手と、電源コードと、前記電源コードの所定の位置を挟圧保持する保持部材とを備え、前記電源コードを前記保持部材で挟圧保持した状態で前記把手の一部に固定するようにしたアイロン。
【請求項２】
保持部材を一体で形成すると共に、それを折り曲げて電源コードを挟圧保持するようにした請求項１に記載のアイロン。
【請求項３】
保持部材に、係止部と前記係止部を係止する被係止部を設け、前記係止部と前記被係止部とで電源コードに仮止めできるようにした請求項１または２に記載のアイロン。
【請求項４】
電源コードと共に保持部材をネジにより把手の一部に固定するようにした請求項1〜３のいずれか1項に記載のアイロン。
【請求項５】
把手の一部に保持部材取付用のネジボスを設けるとともに、前記保持部材に、前記ネジボスに嵌合する固定部を設けた請求項４に記載のアイロン。
【請求項６】
保持部材を透明な樹脂で形成した請求項1〜５のいずれか1項に記載のアイロン。
【発明の詳細な説明】
【技術分野】
【０００１】
本発明は、衣類等のしわ伸ばしを行うアイロンに関するものである。
【背景技術】
【０００２】
従来、この種のアイロンは、把手部の後部に設けられた中空部内に配した導電部材と、この導電部材に接続される接続部を端部に設けた電源コードと、この電源コードの端部を固定する端末部位置決め用部材を具備し、端末部位置決め用部材には電源コードの接続部を保持する保持部分と、電源コードの端部から延びる部分を蛇行させ、電源コードの途中部分を係止する係止部を設け、電源コードの引っ張り力を係止部で受ける構成としていた（例えば、特許文献１参照）。
【０００３】
図４は、上記従来のアイロンを示したもので、以下その構成について説明する。１は電源コードであり、その端末にメガネ端子２が取付けられている。このメガネ端子２の一部に位置決め用の穴など（図示せず）を設けている。３は電源コード位置決め用部材であり、上記電源コード１のメガネ端子２を保持する保持部３ａを有している。保持部３ａには、メガネ端子２に設けた位置決め用穴に係合するボス（図示せず）などを形成しており、メガネ端子２の位置が正確に決まるようになっている。
【０００４】
また、電源コード位置決め用部材３には、電源コード１の途中部分を蛇行させ、電源コード位置決め用部材３を電源コード１に係止させる係止部８を設けており、この係止部８により電源コード１に外部から加わる引張力を吸収し、メガネ端子に無理な力が加わらないようにしている。
【０００５】
また、把手４の後方に設けた中空部４ａには、リブ５を設け、このリブ５により電源コード位置決め部材３を保持し、電源コード１を引っ張ってもメガネ端子２と導電部材６との締結箇所に張力が加わらないようになっている。
【特許文献１】特公平８−２４８００号公報
【発明の開示】
【発明が解決しようとする課題】
【０００６】
しかしながら、このような従来のアイロンの構成では、電源コード１を電源コード位置決め部材３に係止させるには、電源コード１を電源コード位置決め部材３の係止部８に蛇行させ、その摩擦や引っ掛りにより係止させる構成なので、電源コード１の表面が材料のバラツキで滑りやすかったり、電源コード位置決め部材３が樹脂成形品の場合、成形不良が発生すると、電源コード１が電源コード位置決め部材３の係止部８に十分に係止されず、電源コード１を引っ張るとメガネ端子２と導電部材６の締結箇所に力がかかるという課題を有していた。
【０００７】
また、メガネ端子２の位置決めのためにメガネ端子２に位置決め用穴を設けるため、特殊なメガネ端子が必要になり、結局はユーザーに価格の高いアイロンを提供するという課題を有していた。
【０００８】
本発明は、上記従来の課題を解決するもので、簡単な構成で確実に電源コードを把手に固定することができる安全なアイロンを提供することを目的としている。
【課題を解決するための手段】
【０００９】
上記従来の課題を解決するために、本発明のアイロンは、把手と、電源コードと、前記電源コードの所定の位置を挟圧保持する保持部材とを備え、前記電源コードを前記保持部材で挟圧保持した状態で前記把手の一部に固定するようにしたもので、簡単な構造で確実に電源コードが把手に固定され、電源コードが引っ張られても、保持部材よりも内部にはその張力が伝わらないようにすることができる。
【発明の効果】
【００１０】
本発明のアイロンは、簡単な構成で確実に電源コードを把手に固定することができるものである。
【発明を実施するための最良の形態】
【００１１】
第１の発明は、把手と、電源コードと、前記電源コードの所定の位置を挟圧保持する保持部材とを備え、前記電源コードを前記保持部材で挟圧保持した状態で前記把手の一部に固定するようにしたもので、簡単な構造で確実に電源コードが把手に固定され、電源コードが引っ張られても、保持部材よりも内部にはその張力が伝わらないようにすることができる。
【００１２】
第２の発明は、特に、第１の発明の保持部材を一体で形成すると共に、それを折り曲げて電源コードを挟圧保持するようにしたもので、さらに簡単な構成でしかも少ない部品数で電源コードを固定することができる。
【００１３】
第３の発明は、特に、第１または第２の発明の保持部材に、係止部と前記係止部を係止する被係止部を設け、前記係止部と前記被係止部とで電源コードに仮止めできるようにしたもので、電源コードを把手の一部に取付けやすくすることができる。
【００１４】
第４の発明は、特に、第１〜３のいずれか１つの発明の電源コードと共に保持部材をネジにより把手の一部に固定するようにしたもので、電源コードは保持部材に挟圧保持されるとともにより、ネジ止めによりさらに強力に挟圧され、摩擦や引っ掛かりによる固定に頼らずより確実に保持し、電源コードが引っ張られても電源コードの端部には力が掛からないようにすることができる。
【００１５】
第５の発明は、特に、第４の発明の把手の一部に保持部材取付用のネジボスを設けるとともに、前記保持部材に、前記ネジボスに嵌合する固定部を設けたもので、組立て時に保持部材を把手に確実に位置決めできるので、電源コードがより確実に把手に固定することができる。
【００１６】
第６の発明は、特に、第１〜５のいずれか１つの発明の保持部材を透明な樹脂で形成したもので、電源コードの取付けた状態の確認が容易となり、取付け間違いなどによる不具合を防ぐことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるアイロンの要部後面図、図２（ａ）は、同アイロンの電源コード保持部材の平面図、図２（ｂ）は、同アイロンの電源コード保持部材の断面図、図２（ｃ）は、同アイロンの電源コード保持部材の正面図、図３は、同アイロンの要部分解斜視図である。
【００１９】
図１〜図３において、１１は電源コードであり、その端末にメガネ端子１２が取付けられている。このメガネ端子１２は、把手１３後部の下部にあるリード板１４にネジ止めされ電気的に接続される。１５は電源コード保持部材で、電源コード１１の所定の位置を挟圧保持している。
【００２０】
この電源コード保持部材１５の一端には係止部１７が設けられ、他端には係止部１７が係止される被係止部１５ａが設けられている。電源コード保持部材１５は、樹脂成形品で形成されており、屈曲部１６にて折り曲げ、保持部１８で電源コード１１を挟み込み、係止部１７を被係止部１５ａに係止して、電源コード１１の所定の位置に保持される。
【００２１】
また、電源コード保持部材１５の保持部１８及び被係止部１５ａ側には、電源コード１１の長手方向と直行するリブ１９が、電源コード１１を挟み込んだ時に、その両面に当接するように設けられており、電源コード１１を確実に固定できるようになっている。
【００２２】
また、電源コード保持部材１５の左右それぞれに２ヶ所のネジ止め用の穴２０が設けられている。把手１３の後部には電源コード保持部材１５を固定するためのネジボス２１が設けられている。さらに、電源コード保持部材１５には、ネジボス２１が嵌合する固定部２２が設けられている。電源コード１１は、電源コード保持部材１５に挟圧された状態で、電源コード保持部材１５の固定部２２を、把手１３側のネジボス２１に嵌合固定して、ネジ２３を締めて確実に固定され、電源コード１１を引っ張ってもメガネ端子１２には張力が伝わらず、電源コード１１がずれることがない。
【００２３】
以上のように構成されたアイロンについて、以下その作用を説明する。
【００２４】
まず、電源コード１１は、電源コード保持部材１５で挟圧保持されて仮止めされ、把手１３に同時に固定されており、電源コード１１は把手１３に確実に固定された状態となる。さらに、電源コード保持部材１５は、樹脂成形品などの一部品で構成されており、簡単な構成のうえに、係止部１７と被係止部１５ａによって電源コード１１に仮止めされるので、電源コード１１の所定の位置からずれることがなく、把手１３後部への組立てが容易となる。
【００２５】
また、電源コード保持部材１５は、電源コード保持部材１５に設けられた固定部２１を把手１３の後部に設けられたネジボス２１に嵌合させ、ネジ２３にて把手１３に電源コード保持部材１５を固定するとともに、電源コード１１はこのネジ２３の締め付けにより、さらに挟圧されリブ１９が電源コード１１くい込むことにより、電源コード１１はさらに確実に固定され、電源コード１１が引っ張られても、メガネ端子１２に張力がかかることはない。
【００２６】
なお、電源コード保持部材１５の保持部１８に設けられたリブ１９はネジ２３にて把手に固定された状態で、十分に電源コード１１を挟圧し抜けなくなるとともに、異常に挟圧され電源コード１１が裂けたりしないような寸法に設定しなくてはいけないのは言うまでもない。
【００２７】
また、電源コード保持部材１５を透明材料で形成すれば、電源コード１１を取付けた挟圧状態が確認できるので、組み立て時にねじれ等異常な保持状態を容易に確認できる。
【産業上の利用可能性】
【００２８】
以上のように、本発明にかかるアイロンは、電源コードが、簡単な構成で確実に固定できるので、電源コード付きの各種電気機器に適用できる。
【図面の簡単な説明】
【００２９】
【図１】本発明の実施の形態１におけるアイロンの要部後面図
【図２】（ａ）同アイロンの電源コード保持部材の平面図（ｂ）同アイロンの電源コード保持部材の断面図（ｃ）同アイロンの電源コード保持部材の正面図
【図３】同アイロンの要部分解斜視図
【図４】従来のアイロンの要部分解斜視図
【符号の説明】
【００３０】
１１  電源コード
１３  把手
１５  電源コード保持部材（保持部材）
【図１】
2006043186.tif 000003
【図２】
2006043186.tif 000004
【図３】
2006043186.tif 000005
【図４】
2006043186.tif 000006